(57)【特許請求の範囲】
【請求項１】
制御チャンネル動作のための方法であって、
ＷＴＲＵ（無線送受信ユニット）がＭＵＲＯＳ（Multiple Users Reusing One Slot）またはＶＡＭＯＳ（Voice Services Over Adaptive Multiuser Channels on One Slot）を利用できることを示すメッセージを受信すること、
少なくとも１つの制御フレームを具備するマルチフレームを発生させることであって、前記少なくとも１つの制御フレームがＳＤＣＣＨ（孤立個別制御チャンネル）を伝達するために指定され、前記ＳＤＣＣＨは、音声トラフィックに対して呼設定をサポートするように構成され、前記ＳＤＣＣＨは、複数のタイムスロットを含み、前記複数のタイムスロットの１つが第１のＯＳＣ（直交サブ・チャンネル）および第２のＯＳＣを含むことと、
前記マルチフレームを送信することと
を含むことを特徴とする方法。
【請求項２】
前記複数のタイムスロットの１つにおいて前記第１のＯＳＣ上にて第１のＷＴＲＵ  ＳＤＣＣＨを変調することと、
前記変調されたＳＤＣＣＨの前記第１のＯＳＣとは異なるコンスタレーションポイントまたは相補的部分集合マッピングを使用して前記複数のタイムスロットの１つにおいて前記第２のＯＳＣ上にて第２のＷＴＲＵ  ＳＤＣＣＨを変調することと、
第２のタイムスロットにおいて第３のＷＴＲＵ  ＳＤＣＣＨを変調することと
をさらに含むことを特徴とする請求項１に記載の方法。
【請求項３】
前記複数のタイムスロットの１つの内の前記第１及び第２のＯＳＣは、異なるトレーニングシーケンスのユーザによって区別されることを特徴とする請求項２に記載の方法。
【請求項４】
ダウンリンクおよびアップリンクのタイムスロットに指定されたＳＤＣＣＨ上の前記ＯＳＣは、同じであることを特徴とする請求項１に記載の方法。
【請求項５】
ダウンリンクおよびアップリンクのタイムスロットに指定されたＳＤＣＣＨ上の前記ＯＳＣは、異なることを特徴とする請求項１に記載の方法。
【請求項６】
ＢＣＣＨ（報知制御チャンネル）において、ＷＴＲＵにシステム情報を送信することであって、前記システム情報が、ＳＤＣＣＨリソースの割り付けまたは出現形態およびＯＣＳの利用可能性を含むことをさらに含むことを特徴とする請求項１に記載の方法。
【請求項７】
ＳＤＣＣＨリソースの割り付け、ＯＣＳの利用可能性、またはシステム情報の少なくとも１つを含む即時割り当てメッセージを送信することをさらに含むことを特徴とする請求項１に記載の方法。
【請求項８】
前記メッセージは、要求メッセージであり、
トラフィック・リソースに属するタイムスロットにおいて応答メッセージを使用してＯＳＣを割り当てることをさらに含むことを特徴とする請求項１に記載の方法。
【請求項９】
前記トラフィック・リソースが、未割り付けトラフィック・リソースであることを特徴とする請求項８に記載の方法。
【請求項１０】
前記タイムスロットが、１つより多いＷＴＲＵによって使用されることを特徴とする請求項８に記載の方法。
【請求項１１】
ＷＴＲＵ（無線送受信ユニット）であって、
ＷＴＲＵがＭＵＲＯＳ（Multiple Users Reusing One Slot）またはＶＡＭＯＳ（Voice Services Over Adaptive Multiuser Channels on One Slot）を利用できることを示すメッセージを送信するように構成された送信機と、
少なくとも１つの制御フレームを具備するマルチフレームを受信するように構成された受信機であって、前記少なくとも１つの制御フレームがＳＤＣＣＨ（孤立個別制御チャンネル）を伝達するために指定され、前記ＳＤＣＣＨは、音声トラフィックに対して呼設定をサポートするように構成され、前記ＳＤＣＣＨは、複数のタイムスロットを含み、前記複数のタイムスロットの１つが第１のＯＳＣ（直交サブ・チャンネル）および第２のＯＳＣを含む受信機と、
前記第１または第２のＯＳＣの内の１つを復号化し、前記制御フレームを再生するように構成されるプロセッサと
を備えることを特徴とするＷＴＲＵ。
【請求項１２】
前記受信機が、ＢＣＣＨ（報知チャンネル）においてＳＤＣＣＨリソースの割り付けまたは出現形態およびＯＳＣの利用可能性を含むシステム情報を受信するように構成されることを特徴とする請求項１１に記載のＷＴＲＵ。
【請求項１３】
前記受信機が、ＳＤＣＣＨリソースの割り付け、ＯＣＳの利用可能性、またはシステム情報の少なくとも１つを含む即時割り当てメッセージを受信するように構成されることを特徴とする請求項１１に記載のＷＴＲＵ。
【請求項１４】
ＢＳ（基地局）であって、
ＷＴＲＵ（無線送受信ユニット）がＭＵＲＯＳ（Multiple Users Reusing One Slot）またはＶＡＭＯＳ（Voice Services Over Adaptive Multiuser Channels on One Slot）を利用できることを示すメッセージを受信するように構成された受信機と、
少なくとも１つの制御フレームがＳＤＣＣＨ（孤立個別制御チャンネル）を伝達するために指定され、前記ＳＤＣＣＨは、音声トラフィックに対して呼設定をサポートするように構成され、前記ＳＤＣＣＨは、複数のタイムスロットを含み、前記複数のタイムスロットの１つが第１のＯＳＣ（直交サブ・チャンネル）および第２のＯＳＣを含む、前記少なくとも１つの制御フレームを具備するマルチフレームを発生させるように構成されたチャンネル割り付け器と、
前記マルチフレームを送信するように構成された送信機と
を備えることを特徴とするＢＳ。
【請求項１５】
前記複数のタイムスロットの１つにおいて前記第１のＯＳＣにて第１のＷＴＲＵ  ＳＤＣＣＨを変調し、
前記第１のＯＳＣとは異なるコンスタレーションポイントまたは相補的部分集合対応付けを使用して前記複数のタイムスロットの１つにおいて前記第２のＯＳＣにて第２のＷＴＲＵ  ＳＤＣＣＨを変調し、および
第２のタイムスロットにおいて第３のＷＴＲＵ  ＳＤＣＣＨを変調するように構成されるプロセッサ
をさらに備えることを特徴とする請求項１４に記載のＢＳ。
【請求項１６】
前記プロセッサが、前記複数のタイムスロットの１つ内の前記第１および第２のＯＳＣを変調するために異なったトレーニング系列を使用するように構成されたことを特徴とする請求項１５に記載のＢＳ。
【請求項１７】
前記送信機が、ＢＣＣＨ（ブロードキャスト制御チャンネル）においてＷＴＲＵ（無線送受信ユニット）にシステム情報を送信するように構成され、前記システム情報が、ＳＤＣＣＨリソースの割り付けまたは出現形態およびＯＳＣの利用可能性を含むことを特徴とする請求項１４に記載のＢＳ。
【請求項１８】
前記送信機が、ＳＤＣＣＨリソースの割り付け、ＯＣＳの利用可能性、またはシステム情報の少なくとも１つを含む即時割り当てメッセージをＷＴＲＵに送信するように構成されたことを特徴とする請求項１４に記載のＢＳ。
【発明の詳細な説明】
【技術分野】
【０００１】
この出願は無線通信に関する。
【背景技術】
【０００２】
タイムスロット化された無線システムにおいて単一のタイムスロットを複数のユーザーが再利用できるようにするための、ＭＵＲＯＳ（Multiple Users Reusing One Slot）技術またはＶＡＭＯＳ（Voice Services Over Adaptive Multiuser Channels On One Slot）と呼ばれる、様々な対応方法が開発されている。そのような対応方法の１つは、ＯＳＣ（Orthogonal Sub‐channel：直交サブ・チャンネル）の使用を含む。ＯＳＣの概念は、無線ネットワークを同一の無線リソース（すなわちタイムスロット）およびＧＳＭ（Global System for Mobile communication）チャンネルを割り付けられた、２つ以上のＷＴＲＵ（無線送受信ユニット）を、多重化できるようにし、その結果利用可能な多くのＴＲＸ（送受信機）ハードウェアに関して、および可能性としてスペクトル・リソースに関して、容量を著しく改善することができる。その上そのような機能は、フル・レートおよびハーフ・レート・チャンネルの両方に対して音声容量の改善を提供することができる。
【０００３】
ＭＵＲＯＳ／ＶＡＭＯＳは、同一の物理チャンネルまたはタイムスロットを介して、タイムスロットあたり同時に２つまたはそれ以上のユーザーに、トラフィック・チャンネルにて伝達されるスピーチ・サービスを提供することができるような方法を提案する。考慮対象のＭＵＲＯＳ／ＶＡＭＯＳ技法によっては、多重化されたユーザーの１つはレガシー・ユーザーである可能性がある。レガシー・ユーザーは、ＳＡＩＣ（single antenna interference cancelation：単一アンテナ干渉除去）またはＤＡＲＰ（Downlink Advanced Receiver Performance）をサポートしている場合もあり、またしていない場合もあるであろう。従って、ＤＡＲＰの様な干渉型キャンセル受信機に依存する新しい型のＭＵＲＯＳ／ＶＡＭＯＳ設備が望ましいであろう。さらに、その新しいＭＵＲＯＳ／ＶＡＭＯＳ設備が追加的トレーニング手順などの機能をサポートすることが望ましいであろう。
【０００４】
ＧＳＭシステムにおいては、信号伝達リソースのセル構成および他の主要なシステム・アクセス・パラメーターは、システム情報メッセージの一部としてBroadcast Control Channel（報知チャンネル）にて放送される。ＧＳＭシステムにおいて呼設定信号伝達をサポートするために使用される主要な信号伝達チャンネルは、ＳＤＣＣＨ（Stand Alone Dedicated Control Channel：孤立個別制御チャンネル）と呼ばれる。ＳＤＣＣＨは、登録目的のために、ならびにＳＭＳ（short message service：ショート・メッセージ・サービス）メッセージの送信およびＳＳ（Supplementary Services：付加サービス）の起動または問い合わせなどの、他のサービスのために典型的に使用される。オペレーターは、ＧＳＭセル中のチャンネル／タイムスロットの使用可能な数、つまり呼およびトラフィック・チャンネル割り付けの予期される数に基づき多くのＳＤＣＣＨリソースを割り付けることができる。
【０００５】
例えば、セルが２〜３個のＴＲＸ（送受信機）を備えることができる多くの一般的なＧＳＭ配置においては、典型的には、ＳＣＨ（Synchronization Channel：同期チャンネル）、ＦＣＣＨ（Frequency Correction Channel：周波数補正チャンネル）、ＢＣＣＨ（Broadcast Control Channel：報知チャンネル）、ＰＣＨ（Paging Channel：ページング・チャンネル）、ＡＧＣＨ（Access Grant Channel：アクセス許可チャンネル）、およびＲＡＣＨ（Random Access Channel：ランダム・アクセス・チャンネル）などの、制御チャンネル群をサポートするために、あるＴＲＸに付随する１つのタイムスロットを割り付けることができる。１つのマルチフレーム期間にわたって生じる多くのフレームにおいてこのＴＲＸに付随する多くの追加的タイムスロットが、残りのＴＲＸに付随する利用可能なトラフィック・リソースに対して、呼設定、ＳＭＳ、および／またはＳＳのために使用されるＳＤＣＣＨを伝達するために、割り付けられる。具体的には、ほとんどのオペレーターによって使用されるそのような一般的な構成設定の１つは、ＳＤＣＣＨに対して１つのタイムスロットを割り付けることである。ＳＤＣＣＨリソースが、同一タイムスロットにおける８個の利用可能なＳＤＣＣＨサブ・チャンネルを含む構成に至ることにより、１つまたは複数の連続した５１のマルチフレーム期間にわたって多重化された時間に注目する価値がある。
【０００６】
図１は、制御チャンネルに対するＴＤＭＡ（Time Division Multiple Access：時分割多元接続）フレームマッピングを示す。ＳＤＣＣＨの設置設計は、予期される呼着信の分布および出現形態または通話時間の分布を使用することによって近似的容量に従って実行されることが知られている。
【０００７】
ＭＵＲＯＳ／ＶＡＭＯＳの出現、および同じ数のトラフィック・タイムスロットに対する増加した音声容量のために、これらのトラフィック・タイムスロットにて同時にサポートされる期待のユーザー数は著しく増加してきている。しかし、トラフィック容量に関してそうでなければサポートされたであろう呼のかなりの部分は、規制されるか、または容認できない量の呼設定遅延を経験するであろう。したがって、セルにおいて呼設定処理に対して使用される付随するＳＤＣＣＨリソースの容量および設置設計が望まれるであろう。
【０００８】
音声を伝達するトラフィック・チャンネルにおいて使用される場合のＭＵＲＯＳ／ＶＡＭＯＳの概念に対するＧＳＭ設計検討には多くの配慮が払われてきたが、既存の最先端の技術は、信号伝達チャンネルについてのＭＵＲＯＳ／ＶＡＭＯＳの不利益な影響、ならびにセル中のすべての予期される動作可能性をサポートするために割り付けられたチャンネル／タイムスロット・リソースの利用可能性および数の観点からのそれらの割り付けの表示に関しては説明または対処してはいない。
【０００９】
ＳＤＣＣＨ信号伝達リソースを増加させる１つの可能性は、ＳＤＣＣＨに対し単により多くのタイムスロットを割り付けることによることであろう。しかしながらこの対応方法は、そうでなければトラフィックのために使用されるであろうタイムスロット・リソースをその増加した制御信号伝達を収容するために逸失するという否定的影響を与える。したがって、同時に必要なタイムスロット・リソースの数、またはマルチフレーム中のフレームもしくはチャンネルの数を最小にするため、および最先端のＧＳＭシステムおよび配置と同様に、呼設定、またはＳＭＳ転送遅延もしくはＳＳアクセス遅延を確実にするために、ＳＤＣＣＨなどの制御チャンネルについてＭＵＲＯＳ／ＶＡＭＯＳ概念を使用してＧＳＭセルの増加するトラフィック容量を収容するための、新規な方法および手順が追求される。
【発明の概要】
【００１０】
ＧＳＭシステムにおいて制御チャンネル容量を増加させるための方法および装置が開示される。第１の方法において、ＳＤＣＣＨを伝達するタイムスロットまたはバースト（burst）にＭＵＲＯＳ／ＶＡＭＯＳ概念を適用することができる。ＧＳＭネットワークは、１つのタイムスロットにおいて１つより多いＷＴＲＵのバーストを同時に送るために、制御信号伝達トラフィック、付加サービス、またはＳＭＳを伝達するために割り付けられたタイムスロットを使用することができる。第２の方法において、音声トラフィックのための呼設定をサポートするための制御信号伝達は、ＳＤＣＣＨを通して扱われることの代わりに可能な限り早くＶＡＭＯＳ／ＭＵＲＯＳ能力のあるトラフィック・チャンネルに切り替えることができる。第３の方法においては、信号伝達バーストおよび／または割り付けられたトラフィックまたはＳＤＣＣＨのタイムスロットもしくはリソースにて送受されたバーストのチャンネル符号化フォーマットを、追加的リンク頑強さを提供するように、および信号伝達のために使用される１つのタイムスロットにて同時に２つのＷＴＲＵを許容する場合の本質的不利益を克服するように、変更することができる。第４の方法においてＷＴＲＵは、ＷＴＲＵがＭＵＲＯＳ／ＶＡＭＯＳ能力があることをＧＳＭネットワークに通知することができる。
【図面の簡単な説明】
【００１１】
添付図面に関連して例として与えられる以下の説明から、より詳細な理解を得ることができる。
【図１】制御チャンネルに対するＴＤＭＡフレームマッピングの図である。
【図２】ＳＤＣＣＨを伝達することができるタイムスロットまたはバーストにＭＵＲＯＳ／ＶＡＭＯＳ概念を適用する方法の図である。
【図３】マルチフレーム構造の一例の図である。
【図４】音声トラフィックに対する呼設定をサポートするための制御信号伝達のフロー図である。
【図５】ＳＤＣＣＨを伝達するタイムスロットまたはバーストにＭＵＲＯＳ／ＶＡＭＯＳ概念を適用するように構成されるＷＴＲＵおよびＢＳ（Base Station：基地局）の機能的ブロック図である。
【発明を実施するための形態】
【００１２】
今後において参照されると、用語「ＷＴＲＵ（Wireless Transmit/Receive Unit：無線送受信ユニット）」は、限定的ではなく、ＵＥ（User Equipment：ユーザー機器）、移動体端末、固定型または移動体の加入者ユニット、ページャー、携帯電話、ＰＤＡ（Personal Digital Assistant：携帯情報端末）、コンピューター、または無線環境において動作する能力のある他のいかなる種別のユーザー・デバイスをも含む。今後において参照されると、用語「基地局（Base Station）」は、限定的ではなく、ノードＢ（Node−Ｂ）、サイト制御装置、ＡＰ（Access Point：アクセス・ポイント）、または無線環境において動作する能力のある他のいかなる種別のインターフェイス・デバイスをも含む。以下で説明される実施形態は、ＧＳＭシステムにおいてＭＵＲＯＳ／ＶＡＭＯＳ概念を実現するためのすべての技術的提案に等しく適用され、そしてＭＵＲＯＳ／ＶＡＭＯＳ技術を実施するいずれの実施形態の詳細からも独立である。またＭＵＲＯＳ／ＶＡＭＯＳ概念との組み合わせによる異なるタイムスロットまたはバーストにおいて、異なるユーザーを組み合わせるために選択する場合の、ＦＨ（Frequency-Hopping：周波数ホッピング）またはinterference Diversity（干渉ダイバーシティ）などの、より高度な方式の存在も、ＭＵＲＯＳ／ＶＡＭＯＳの動作概念を変更するものではない。
【００１３】
ＵＬ（UpLink：アップリンク）方向においては、無相関トレーニング系列を使用してサブ・チャンネルを分離することができる。第１のサブ・チャンネルは既存のトレーニング系列を使用することができ、そして第２のサブ・チャンネルは新しいトレーニング系列を使用することができ、逆もまた同様である。あるいはまた、両方のサブ・チャンネルについて新しいトレーニング系列のみを使用することができる。ＯＳＣを使用することにより、ＷＴＲＵおよびネットワークに対しては無視できる程度の影響にて、音声容量を向上することができる。すべてのＧＭＳＫ（Gaussian Minimum Shift Keying：ガウス最小偏移変調）により変調されたトラフィック・チャンネルに対して（例えば、ＴＣＨ／Ｆ（Full rate Traffic Channel）、ＴＣＨ／Ｈ（Half rate Traffic Channel）、関連するＳＡＣＣＨ（Slow Associated Control Channel）、およびＦＡＣＣＨ（Fast Associated Control Channel）に対して）ＯＳＣを透過的に適用することができる。
【００１４】
ＯＳＣは、２つまたはそれを超える回線交換の音声チャンネル（すなわち２つまたはそれを超える別々の呼）を同一の無線リソースに割り付けることによって、音声容量を増加させる。信号の変調をＧＭＳＫからＱＰＳＫ（Quadrature Phase Shift Keying：４相位相変調）（ここでは１つの変調されたシンボルが２ビットを表す）に変更することによって、１つのユーザーをＱＰＳＫコンスタレーションのＸ軸上に、そして第２のユーザーをＱＰＳＫコンスタレーションのＹ軸上にして、２つのユーザーを分離することは比較的簡単である。一つの信号は、２つの異なったユーザーに対する情報を含み、各ユーザーがそれら自身のサブ・チャンネルを割り付けられる。高次の変調方式を使用することにより、複数のユーザーが一つのリソースまたはタイムスロットを共有することができる。
【００１５】
ＤＬ（DownLink：ダウンリンク）においては、例えばＥＧＰＲＳ（Enhanced General Packet Radio Service）に対して使用される８−ＰＳＫコンスタレーションの部分集合となりうるＱＰＳＫコンスタレーションを使用することにより、ＢＳ（基地局）においてＯＳＣを実現することができる。変調されたビットは、ＱＰＳＫシンボル（「dibit（ディビット）」）に、第１のサブ・チャンネル（ＯＳＣ−０）がＭＳＢ（Most Significant Bit：最上位ビット）にマッピングされ、そして第２のサブ・チャンネル（ＯＳＣ−１）がＬＳＢ（Least Significant Bit：最下位ビット）にマッピングされるように、マッピングされる。両方のサブ・チャンネルは、Ａ５／１、Ａ５／２、またはＡ５／３などの個々の暗号アルゴリズムを使用することができる。シンボル回転（rotation）に対するいくつものオプションは考慮することができ、そして異なる評価基準により最適化することができる。例えば、シンボル回転３π／８はＥＧＰＲＳに対応するであろうし、シンボル回転π／４はπ／４−ＱＰＳＫに対応するであろうし、そしてシンボル回転π／２はＧＭＳＫの様なサブ・チャンネルを提供ことができる。あるいはまたＱＰＳＫ信号コンスタレーションを、少なくとも１つのサブ・チャンネルにおいてレガシーのＧＭＳＫにより変調されたシンボル系列に類似するように、設計することができる。
【００１６】
ＭＵＲＯＳ／ＶＡＭＯＳ変調フォーマットのための選択としていくつかの理由がＱＰＳＫを支持する。まず第１にＱＰＳＫは、頑強なＳＮＲ（Signal-to-Noise Ratio：信号対雑音比）対ＢＥＲ（Bit Error Rate：ビット誤り率）性能を提供する。第２にＱＰＳＫは、既存の８−ＰＳＫの能力のあるＲＦハードウェアにより実現することができる。そして第３にＱＰＳＫバースト・フォーマットは、Packet Switched service（パケット交換サービス）に対するRelease７（リリース７）ＥＧＰＲＳ−２に対して導入されている。
【００１７】
ダウンリンクにおいてＭＵＲＯＳ／ＶＡＭＯＳを実施する代替の対応方法は、１タイムスロットあたり、２つまたはそれを超える個々にＧＭＳＫによって変調されたバーストを送信することにより、２つまたはそれを超えるＷＴＲＵを多重化することを伴う。この対応方法はＩＳＩ（Inter-Symbol Interference：シンボル間干渉）のレベルを増加させるため、ＤＡＲＰ  PhaseＩまたはPhaseIIなどの干渉除去技術を受信機において必要とする場合がある。典型的に、ＯＳＣ動作モードの間、ＢＳ（基地局）はＤＣＡ（Dynamic Channel Allocation：動的チャンネル割り付け）方式によるＤＬおよびＵＬ電源制御を適用し、共通に割り当てられたダウンリンクおよび／またはアップリンクの受信信号レベルの差を、例えば±１０ｄＢのウィンドウ以内に保つ。目標値は、多重化された受信機および他の評価基準の種別に依存する場合がある。アップリンクにおいては、各ＷＴＲＵは一般のＧＭＳＫ送信機を適切なトレーニング系列と共に使用することができる。ＢＳは、ＳＴＩＲＣ（Space Time Interference Rejection Combining）受信機、またはＳＩＣ（Successive Interference Cancellation：逐次型干渉除去）受信機などの、干渉除去または結合検出型の受信機を採用し、異なったＷＴＲＵによって使用される直交したサブ・チャンネルを受信することができる。
【００１８】
ＤＬにおいて、ＵＬにおいて、または両方においての何れかにて、周波数ホッピングまたはユーザー・ダイバーシティ方式とともにＯＳＣを使用することができる。例えばフレーム単位にて、サブ・チャンネルを異なるユーザーの組み合わせに割り付けることができ、そしてタイムスロット単位の組み合わせが、いくつかのフレームの期間またはブロックの期間などの、長期の時間期間にわたるパターンにて繰り返される可能性がある。
【００１９】
さらに統計的多重化を使用し、２つを超えるＷＴＲＵが２つの利用可能なサブ・チャンネルを使用して送信することを可能とすることができる。例えば４つのＷＴＲＵが、割り当てられたフレームにおける２つのサブ・チャンネルの内の１つを使用することによって、６フレームの期間に亘って、スピーチ信号を送受信することができる。
【００２０】
α−ＱＰＳＫ変調方式と呼ばれる基本的概念の拡張が導入されている。α−ＱＰＳＫ変調方式は、ＱＰＳＫシンボルコンスタレーションの帯域内（in-band）のおよび直交成分に対する電源制御の簡単な手法を提示する。αパラメ−ターを使用することによって、タイムスロットにおける第２のサブ・チャンネルに対して、第１のサブ・チャンネルが割り当てられたＭＵＲＯＳ／ＶＡＭＯＳタイムスロットにおける相対的電力を、互いに比して±１０〜１５ｄＢの範囲に調整することができる。この対応方法を使用して、送信機によって合成ＭＵＲＯＳ／ＶＡＭＯＳ送信に割り付けられた絶対電力は、それぞれのユーザーに対して正確に１／２の電力（サブ・チャンネル１の電力／サブ・チャンネル２の電力の相対値が０ｄＢと等価）は必要としない場合がある。ＭＵＲＯＳ／ＶＡＭＯＳサブ・チャンネル（ユーザー）の一方が他方のユーザーより良好な信号状態にある場合には、−３ｄＢ（またはそれより多い）の電力比が、より弱い方のＭＵＲＯＳ／ＶＡＭＯＳユーザーに対してより良い結果性能をもたらすことになる、というような、他より望ましい電力比を達成することができる。タイムスロットにおけるＭＵＲＯＳ／ＶＡＭＯＳ合成信号の絶対送信電力設定と共に、α−ＱＰＳＫ概念は、ＭＵＲＯＳ／ＶＡＭＯＳユーザーに対する相対的電源制御要素をもたらすことができる。
【００２１】
この基本的ＯＳＣ概念のもう一つの可能な拡張は、ＧＳＭマルチフレーム構造において少なくともいくつかのフレームの期間にわたって２つよりまさに多くのユーザーの統計的多重化にこの概念を拡張することによって、単に単純に固定されたユーザーの対を正に同一の割り付けられたバーストに多重化することを提示する。時間軸における任意の所与の点（すなわち任意の「バースト」）にて、２つより多くないユーザーが、ＯＳＣバーストの２つの利用可能なサブ・チャンネルを使用して送信することができる。しかしながら、ＨＲ（Half Rate：ハーフ・レート）コーデックを使用する場合には（２つのフレームの内の１つを送受信する必要があるいずれのＷＴＲＵも）、２つのみより多いユーザーの統計的多重化を達成することができる。例えば、４つのユーザーが、バーストあたり２つの利用可能なＯＳＣの内の１つを使用することにより、および彼らが割り当てられたフレームにおいてのみ送信することによって、いずれかの所与の６フレームの期間にわたって、彼らのＨＲスピーチ信号を送受信することができる。
【００２２】
基本的ＯＳＣ概念へのさらなる可能な変更は、ＧＳＭ  ＦＨの技法の再使用が、ＯＳＣおよび非ＯＳＣユーザーに対して、干渉の平均化およびＤＴＸ（Discontinuous Transmission：不連続送信）利得の両方をもたらすことを提示し、ここで利得は、セル中のＷＴＲＵの間で相対的に均等に展開される。第１の可能な変更と同様に、任意の所与のバースト（すなわちタイムスロット）においても、２つより多くないユーザーは、ＯＳＣバーストの２つの利用可能なサブ・チャンネルを使用して送信するであろう。しかしながら、異なった周波数ホッピング系列／ＭＡＩＯ（Mobile-Allocation-Index-Offset）をセル中の異なったＷＴＲＵに割り当てることによって、バーストの次の発生に際して任意のＷＴＲＵが別のＷＴＲＵと対になることができる。パターンは、ＦＨ−リストの関数として、ある数のフレームの後に繰り返される場合がある。これがＤＬおよびＵＬ方向の両方に適用可能である場合があることに注意されたい。
【００２３】
ＵＬ方向については、統計的多重化送受話器に対する周波数ホッピング概念を含む、ＭＵＲＯＳ／ＶＡＭＯＳ概念および／または拡張は、同一タイムスロットについて異なったトレーニング系列による一般のＧＭＳＫ送信を使用して、ＢＳが２つの送信を分別することを可能とすることを提示する。２つまたはそれを超えるＷＴＲＵのそれぞれは、ＱＰＳＫを使用する場合があるＯＳＣ  ＤＬと異なって、レガシーのＧＭＳＫにより変調されたバーストを送信することができる。ＢＳはＳＴＩＲＣまたはＳＩＣ受信機の何れかを使用して、異なったＷＴＲＵによって使用される直交サブ・チャンネルを受信すると想定することができる。
【００２４】
ＷＴＲＵにおける、Release６（リリース６）ＤＡＲＰ−タイプＩ受信機実施方法として参照される第２の技術的概念に関して、ＭＵＲＯＳ／ＶＡＭＯＳは、同一の物理チャンネルまたはタイムスロットを介して同時に２つまたはそれを超えるユーザーにスピーチ・サービスを提供することができることを提示する。これらの多重化されたユーザーの１つはレガシー・ユーザーであることができる。レガシーＷＴＲＵは、ＳＡＩＣまたはＤＡＲＰサポートが実施されている場合、またはされていない場合がある。同様に、新しい型のＭＵＲＯＳ／ＶＡＭＯＳ設備がＤＡＲＰの様な干渉型キャンセル受信機に依存する場合がある。さらに、新しいＭＵＲＯＳ／ＶＡＭＯＳ設備が拡張トレーニング系列などの機能をサポートすると期待することができる。
【００２５】
図２は、ＭＵＲＯＳ／ＶＡＭＯＳ概念をＳＤＣＣＨを伝達するタイムスロットまたはバーストに適用することができる第１の方法の図である。信号を伝達するＳＤＣＣＨタイムスロットは、音声を伝達するトラフィック・タイムスロットと比較して、別個の異なるバースト符号化およびプロトコル・フォーマットを使用することができる。特にＧＳＭネットワークは、制御信号伝達トラフィック、付加サービス、またはＳＭＳを伝達し例えばＷＴＲＵｌ  ２２０およびＷＴＲＵ２  ２３０など、１を超えるユーザーのバーストをそのようなタイムスロットにおいて同時に送るために割り付けられたタイムスロットを使用することができるＢＳ２１０を含むことができる。
【００２６】
例えばＱＰＳＫまたは派生型変調方式を使用して、ＳＤＣＣＨ２４０を伝達するために指定されたタイムスロット中の第１のＯＳＣにて第１のユーザーのＳＤＣＣＨを伝達することができ、一方で異なったコンスタレーションポイントまたは変調されたシンボル・ストリームの相補的部分集合マッピングを使用して、このタイムスロット２５０中の第２のサブチャネルにて第２のユーザーのＳＤＣＣＨを伝達する。この概念は、例えば１６ＱＡＭなどの他の変調方式に拡張することができ、またはＧＭＳＫによって変調されたバーストを２つのユーザーに同時に送ることよって、個別のサブ・チャンネルが作成される。さらに関連して、そのようなタイムスロットにおいて作成される個別のＯＳＣはまた、例えば異なったトレーニング系列の使用により識別することができ、チャンネル推定処理の助けとなる。
【００２７】
ＤＬおよびＵＬにおいてＳＤＣＣＨに指定されたタイムスロット・リソースのいくつかまたはすべてにつきこれらのＯＳＣを作成しサポートする方法は、同じである場合があるか、またはＵＬまたはＤＬに特有である場合がある。例えばＤＬにおいてＯＳＣを作成するためにＱＰＳＫまたはその派生型を使用することができるが、個々のユーザーによる対応するＵＬ送信はＧＭＳＫによって変調されたバーストを使用し、そしてネットワーク側においてＩＲＣなどの技法を使用して検出される場合がある。
【００２８】
この方法を使用して、ＳＤＣＣＨタイムスロットあたり１つより多いＯＳＣを利用可能とすることにより、利用可能なＳＤＣＣＨリソースの数を倍にすることができる。よって容量が増大し、増大する音声トラフィックに信号伝達トラフィックが相応する。
【００２９】
一実施形態においては、ＧＳＭセルはすべてのＳＤＣＣＨリソースについてＭＵＲＯＳ／ＶＡＭＯＳ動作を可能にさせることができる。別の実施形態においては、ＧＳＭセルはある選択されたＳＤＣＣＨリソースについてＭＵＲＯＳ／ＶＡＭＯＳ動作を可能とさせるが必ずしもその全てについては必要でない。ＳＤＣＣＨリソースは、周波数チャンネル、タイムスロット（またはバースト）のある出現形態、および／または周波数チャンネル、タイムスロット、またはバーストのマルチフレーム出現形態の組み合わせに対応する場合があることに注意するべきである。
【００３０】
図３はマルチフレーム構造３００の一例の図である。図３を参照して、マルチフレーム構造において繰り返される多くのフレーム中で生起する１つのチャンネルにおけるタイムスロット１の３１０およびタイムスロット２の３２０がＳＤＣＣＨとしての使用３２５のために指定される場合、タイムスロット１を、利用可能なサブ・チャンネルＯＳＣ−０の３３０またはＯＳＣ−１の３４０の何れかにてＭＵＲＯＳ／ＶＡＭＯＳを使用して２つのユーザーに対するＳＤＣＣＨを伝達するために、割り付けることができる。しかしながら、タイムスロット２の３２０は、通常のＧＳＭシステムにおけるように（すなわちタイムスロット単位での単一ユーザーのバーストとして）ＳＤＣＣＨを使用するように構成することができる。リンク性能上の理由から、または受信機に干渉キャンセル能力のない従来の受信機などの、レガシーなＧＳＭのＷＴＲＵのタイムスロットの存在を、ＭＵＲＯＳ／ＶＡＭＯＳの技法が完全にはサポートできるというわけではない場合に、この対応方法を有利に使用することができる。上の例が異なった数のＳＤＣＣＨタイムスロットまたはそれらのタイムスロットの分割に対して拡張可能である場合があるということは、当業者にとって明白である場合がある。
【００３１】
別の実施形態においては、ＧＳＭセルはＳＤＣＣＨリソースの一部または全ての何れかにてＭＵＲＯＳ／ＶＡＭＯＳ動作を可能とさせるが、あるＷＴＲＵが特定のＯＳＣを使用することを制限する。ＳＤＣＣＨリソースは、チャンネル、タイムスロット、バースト、またはこれらのリソースのマルチフレーム出現形態であるということができる。レガシー設備のリンク性能を、シンボル回転の機能、またはＳＤＣＣＨ情報を伝達するバーストにて使用されるTraining Sequence（トレーニング系列）などの、レガシー・バースト・フォーマットを復号化する自身の性能に依存することができる場合に、この対応方法を有利に使用することができる。
【００３２】
ＳＤＣＣＨリソースの構成およびアクセス・パラメーターならびにＳＤＣＣＨタイムスロットあたり１つより多いバーストをサポートする可能性を、送信機および受信機に信号伝達を通して、または既知の規則集（ruleset）のアプリケーションを通して周知することができる手順を、ＧＳＭアクセス・ネットワークおよび／またはＷＴＲＵが実施することができる。
【００３３】
一実施形態においては、ＳＤＣＣＨリソースの割り付けおよび出現形態ならびにそれらのＳＤＣＣＨリソースの一部または全てにおけるＭＵＲＯＳ／ＶＡＭＯＳのＯＳＣの利用可能性を、ＢＣＣＨにおけるSystem information（システム情報）の拡張を通して通信することができる。
【００３４】
別の実施形態においては、ＳＤＣＣＨリソースの割り付け、利用可能性、ならびに／または出現形態、およびＭＵＲＯＳ／ＶＡＭＯＳ  ＯＳＣの利用可能性を、Immediate Assignment（即時割り当て）メッセージを通して実行することができる。
【００３５】
例えばＧＳＭアクセス・ネットワークは、タイムスロット、チャンネル番号、フレーム出現形態、および／またはそれらにおけるＭＵＲＯＳ／ＶＡＭＯＳ  ＯＳＣ、もしくは同等なものなどの、セル中にて指定されたＳＤＣＣＨリソースに対して、適用可能なもしくは割り当てられるべきバースト・フォーマット、および／または許容されたトレーニング系列もしくはトレーニング系列符号（または使用中のそれら）を、信号伝達することができる。ＷＴＲＵは、アクセス・ネットワークからの受信された構成情報の関数としてＤＬおよび／またはＵＬのＳＤＣＣＨへのアクセスを構成することができる手順を実施することができる。
【００３６】
第２の方法において、音声トラフィックに対して呼設定をサポートする制御信号伝達は、ＳＤＣＣＨを通して取り扱われる代わりに、可能な限り早くＭＵＲＯＳ／ＶＡＭＯＳ能力のあるトラフィック・チャンネルまたはタイムスロット・リソースに切り替えることができる。この方法の１つの利点は、ＳＤＣＣＨを介しての実行のための信号伝達交換の全体数を大幅に減少することができるということである。これにより、典型的な技法と比較して、より早くＳＤＣＣＨを解放することができる。従って、実際のＳＤＣＣＨに指定されたリソースを介して行われるメッセージ交換の数を減少させ、そしてその全てまたは一部の何れかをトラフィック・リソースに移行させることによって、ＳＤＣＣＨについての容量問題を軽減することができる。
【００３７】
図４は、音声トラフィックのための呼設定をサポートするための制御信号伝達のフロー図である。一実施形態においては、ＷＴＲＵ４２０からのチャンネル要求メッセージ４１０を受信すると、ＧＳＭネットワーク中のＢＳ４３０は、セル中のトラフィック・リソースに属すことができるタイムスロットを使用して、ＭＵＲＯＳ／ＶＡＭＯＳ  ＯＳＣを割り当てることができる。ＢＳ４３０は、ＷＴＲＵ４２０においてタイムスロットにて即時割り当てメッセージ４５０を使用して応答を送ることができる。トラフィック・リソースは、未−割り付け（したがって現在未使用）か、またはトラフィック・タイムスロットが別の音声ユーザーにより使用中であるか、の何れかである。
【００３８】
即時割り当てメッセージが使用される場合の例を拡張すると、ＧＳＭネットワークは、割り当てられたトラフィック・リソースに対するチャンネル種別がControl-TypeであることをＷＴＲＵに示すことができる。最初の信号伝達が実行された後に、ネットワークは、時間内のいずれかの点にてチャンネル・モード変更メッセージを送ることによって、チャンネル・モードをControl -TypeまたはSignalingから、Traffic-TypeまたはSpeechに変更することができる。ＷＴＲＵは同一リソースのままであることができるが、最初に信号伝達チャンネルとしてそのリソースを使用し、次に時間内の後の方の点にてトラフィック・チャンネルとしてそれを使用するように切り替えることができることに注意されたい。ＷＴＲＵおよびネットワークにおいて実施されるＭＵＲＯＳ／ＶＡＭＯＳ能力を有利に使用することによって、呼設定目的のための信号伝達トラフィックを、あるトラフィック・リソースを介して、そのトラフィック・リソースにて別のユーザーの別の呼が同時にサポートされている間にさえ、伝達することができる。
【００３９】
呼確立段階の間に時間内のいずれか後の方の点にて、上の手順が、ＳＤＣＣＨなどの個別のスタンドアロンの信号伝達リソースから、トラフィック・タイムスロットに切り替えを実行するように変更することができることは、当業者にとって明白であろう。
【００４０】
例えばＧＳＭアクセス・ネットワークは、適用可能なもしくは割り当てられたバースト・フォーマット、および／またはタイムスロット、チャンネル番号、ＦＨパラメーター、フレーム出現形態、および／またはＭＵＲＯＳ／ＶＡＭＯＳ  ＯＳＣ、もしくは同等な物などの、トラフィック・タイムスロットに対する、可能なトレーニング系列またはトレーニング系列符号を信号伝達することができる。アクセス・ネットワークから受信された構成情報の関数としてＤＬおよび／またはＵＬのトラフィック・リソースへのアクセスを構成する手順を、ＷＴＲＵは実施することができる。
【００４１】
第３の方法においては、信号伝達バースト、および／または割り当てられたトラフィック、またはＳＤＣＣＨのタイムスロットもしくはリソースにて送受信されたバースト、のチャンネル符号化フォーマットを変更し、追加的リンク頑強さを提供し、そして信号伝達のために使用されるタイムスロットにおいて同時に２つのユーザーを可能とする場合の、固有の３ｄＢのリンクの不利益を克服することができる。
【００４２】
一実施形態においては、信号伝達が早期に切り換えられ、そしてＭＵＲＯＳ／ＶＡＭＯＳトラフィック・リソースを介して伝達される場合には、信号伝達バーストのチャンネル符号化が増加し、チャンネル復号化性能においてオフセットを提供し、そしてＭＵＲＯＳ／ＶＡＭＯＳリソースを使用する場合の固有のリンク不利益を克服することができる。
【００４３】
別の実施形態においては、バーストマッピング処理の間に、符号化されたビットの全てまたは選択された部分集合の何れかの繰り返しを通して、信号伝達バーストについてより頑強なチャンネル符号化を達成することができる。あるいはまた、信号伝達ブロックの繰り返し（通常４バースト）を通して、または代表的なＧＳＭシステムにおいて使用される信号伝達バーストに対して使用される符号化割合（チャンネル符号化ビットに対する情報ビットの比率）に比較して、チャンネル符号化割合を減少させることにより、信号伝達バーストのより頑強な符号化を実行することができる。
【００４４】
さらに別の実施形態においては、マルチフレーム構造のみにおいてフレームの選択された部分集合において受信および／または送信を可能とすることによって、ＭＵＲＯＳ／ＶＡＭＯＳ能力を有するトラフィック・タイムスロットにて信号伝達バーストまたはブロックを送ることができる。例えば他方のユーザーのIdle Frame（空きフレーム）において信号伝達バーストを送信のみするように指定することによって、利用可能なチャンネル・ビットの数を増加させることができるか、または低次の変調型を使用することができ、その両方ともがバーストに対する復号化性能を増加させる。
【００４５】
ＧＳＭネットワークによって、Broadcast Channel（ブロードキャスト・チャンネル）にてなどの信号伝達メッセージの使用を通して、またはImmediate Assignment messageなどを通して、信号伝達バーストまたはブロックに適用されるより頑強な符号化方式の使用および適用可能性を構成することができる。
【００４６】
上の技法が適切に機能するために、ＷＴＲＵがＭＵＲＯＳ／ＶＡＭＯＳ能力を有するということを（ＷＴＲＵが）ネットワークに通知することができる。例えばＷＴＲＵは、ＷＴＲＵがチャンネル要求メッセージをネットワークに送るときのＲＡＣＨの一部として、またはその中に含めて、ＷＴＲＵ自身のＭＵＲＯＳ／ＶＡＭＯＳ能力を送ることによって、ＷＴＲＵがＭＵＲＯＳ／ＶＡＭＯＳ能力を有することをネットワークに通知することができる。
【００４７】
図５は、上で説明された方法に従って構成されるＷＴＲＵ５００およびＢＳ５５０の機能的ブロック図である。ＷＴＲＵ５００は、受信機５０２、送信機５０３、およびアンテナ５０４と通信状態にあるプロセッサ５０１を含む。プロセッサ５０１は、上で説明されたように、ＳＤＣＣＨなどの制御チャンネルにおけるＭＵＲＯＳ／ＶＡＭＯＳ概念を適用するように構成することができる。ＢＳ５５０は、受信機５５２、送信機５５３、アンテナ５５４、およびチャンネル割り付け器５５５と通信状態にあるプロセッサ５５１を含む。チャンネル割り付け器５５５は、プロセッサ５５１の一部であることができ、またはプロセッサ５５１と通信状態にある別のユニットであることができる。チャンネル割り付け器５５５は、上で説明されたように、ＳＤＣＣＨなどの制御チャンネルについてＭＵＲＯＳ／ＶＡＭＯＳ概念を適用するように構成することができる。ＷＴＲＵ５００は、上で説明された他の構成要素と同様に、マルチ・モード動作において使用するために、プロセッサ５０１およびアンテナ５０４と通信状態にある追加送信機および受信機（示されない）を含むことができる。ＷＴＲＵ５００は、ディスプレイ、キーパッド、マイクロホン、スピーカー、または他の構成要素などの追加的随意的部品（示されない）を含むことができる。
【００４８】
実施形態
１．
ＧＳＭネットワークにおいてＭＵＲＯＳ（Multiple Users Reusing One Slot）を使用して制御システム容量を増加させるための方法であって、
１つのタイムスロットにおいて１つより多いＷＴＲＵ（無線送受信ユニット）にバーストを同時に送信するステップであって、前記タイムスロットが、制御信号伝達トラフィック、付加サービス、またはＳＭＳ（ショート・メッセージ・サービス）を伝達するために割り付けられること
を含むことを特徴とする方法。
【００４９】
２．
前記タイムスロットが、ＳＤＣＣＨ（孤立個別制御チャンネル）を伝達するために指定されたことを特徴とする実施形態１に記載の方法。
【００５０】
３．
前記タイムスロットにおいて第１のサブ・チャンネルにて第１のＷＴＲＵ  ＳＤＣＣＨを変調することと、
前記変調されたＳＤＣＣＨのコンスタレーションポイントまたは相補的部分集合マッピングを使用して、前記タイムスロットにおいて第２のサブ・チャンネルにて第２のＷＴＲＵ  ＳＤＣＣＨを変調することと
をさらに含むことを特徴とする実施形態１〜２に記載の方法のうちのいずれか１つの方法。
【００５１】
４．
前記第１のサブ・チャンネルおよび前記第２のサブ・チャンネルが、ＧＭＳＫによって変調されたバーストを前記第１のＷＴＲＵおよび前記第２のＷＴＲＵに同時に送ることよって作成されることを特徴とする実施形態３に記載の方法。
【００５２】
５．
前記タイムスロットにおいて作成された前記サブチャネルが、異なったトレーニング系列の使用により識別されることを特徴とする実施形態３〜４に記載の方法のうちのいずれか１つの方法。
【００５３】
６．
ダウンリンクおよびアップリンクにおいて、前記ＳＤＣＣＨに指定されたタイムスロット・リソースにおけるサブ・チャンネルの前記作成およびサポートが同一であることを特徴とする実施形態１〜５に記載の方法のうちのいずれか１つの方法。
【００５４】
７．
ダウンリンクおよびアップリンクにおいて、ＳＤＣＣＨに指定されたタイムスロット・リソースにおけるサブ・チャンネルの前記作成およびサポートが異なることを特徴とする実施形態１〜６に記載の方法のうちのいずれか１つの方法。
【００５５】
８．
ダウンリンクにおいて、サブ・チャンネルを作成するためにＱＰＳＫ変調が使用されることを特徴とする実施形態６〜７に記載の方法のうちのいずれか１つの方法。
【００５６】
９．
ＧＭＳＫによって変調されたバーストが、アップリンクにおいて前記作成されたサブ・チャンネルにあることを特徴とする実施形態６〜８に記載の方法のうちのいずれか１つの方法。
【００５７】
１０．
すべてのＳＤＣＣＨリソースにてＭＵＲＯＳ動作が使用されることを特徴とする実施形態１〜９に記載の方法のうちのいずれか１つの方法。
【００５８】
１１．
選択されたＳＤＣＣＨリソースにてＭＵＲＯＳ動作が使用されることを特徴とする実施形態１〜９に記載の方法のうちのいずれか１つの方法。
【００５９】
１２．
ＳＤＣＣＨリソースが、周波数チャンネルのある出現形態、タイムスロット、および／またはこれらのマルチフレームの出現形態の組み合わせに対応することを特徴とする実施形態１〜１１に記載の方法のうちのいずれか１つの方法。
【００６０】
１３．
第１または第２の利用可能なサブ・チャンネルのいずれかにおいてＭＵＲＯＳを使用して２つのＷＴＲＵに対するＳＤＣＣＨを伝達するように第１のタイムスロットを構成することと、
１つのＷＴＲＵに対してＳＤＣＣＨを使用するように第２のタイムスロットを構成することと
をさらに含むことを特徴とする実施形態１〜１２に記載の方法のうちのいずれか１つの方法。
【００６１】
１４．
ＭＵＲＯＳ動作が選択されたＳＤＣＣＨリソースにおいて使用されるが、ＷＴＲＵが特定のサブ・チャンネルの使用に限定されることを特徴とする実施形態１〜１３に記載の方法のうちのいずれか１つの方法。
【００６２】
１５．
前記ネットワークとＷＴＲＵとの間でＢＣＣＨにおいてシステム情報を送信することであって、前記システム情報が、ＳＤＣＣＨリソースの割り付けおよび／または出現形態、ならびにＭＵＲＯＳサブ・チャンネルの利用可能性を含むこと
をさらに含むことを特徴とする実施形態１〜１４に記載の方法のうちのいずれか１つの方法。
【００６３】
１６．
前記ネットワークとＷＴＲＵとの間で即時割り当てメッセージを送信することであって、前記システム情報が、ＳＤＣＣＨリソースの割り付けおよび／または出現形態、ならびにＭＵＲＯＳサブ・チャンネルの利用可能性を含むこと
をさらに含むことを特徴とする実施形態１〜１５に記載の方法のうちのいずれか１つの方法。
【００６４】
１７．
前記ＧＳＭネットワークにおいてＭＵＲＯＳ（Multiple Users Reusing One Slot）を使用して制御システム容量を増加させるための方法であって、
ＧＳＭネットワークが、ＷＴＲＵからの「チャンネル要求」メッセージの受信に際してセル中のトラフィック・リソースに属するタイムスロットにおける「即時割り当て」メッセージを使用してＭＵＲＯＳサブ・チャンネルを割り当てること
を含むことを特徴とする方法。
【００６５】
１８．
前記トラフィック・リソースが未割り付けであることを特徴とする実施形態１７に記載の方法のうちのいずれか１つの方法。
【００６６】
１９．
前記トラフィック・タイムスロットが１つより多いＷＴＲＵによって使用されることを特徴とする実施形態１７〜１８に記載の方法のうちのいずれか１つの方法。
【００６７】
２０．
前記ＧＳＭネットワークが、前記割り当てられたトラフィック・リソースに対するチャンネル・タイプが「Control-type」であると前記ＷＴＲＵに示すことをさらに含むことを特徴とする実施形態１７〜１９に記載の方法のうちのいずれか１つの方法。
【００６８】
２１．
前記ＧＳＭネットワークが、前記チャンネル・モードを「Control-typeまたはSignaling」モードから「Traffic-TypeまたはSpeech」モードに変更するために「チャンネル・モード変更」メッセージを前記ＷＴＲＵに送ることをさらに含むことを特徴とする実施形態に記載の方法のうちのいずれか１つの方法。
【００６９】
２２．
ＷＴＲＵが、呼確立段階の間の時間内のある点にてＳＤＣＣＨ（孤立個別制御チャンネル）からトラフィック・タイムスロットに切り換えられることを特徴とする実施形態１７〜２１に記載の方法のうちのいずれか１つの方法。
【００７０】
２３．
ＧＳＭネットワークにおいてＭＵＲＯＳ（Multiple Users Reusing One Slot）を使用して制御システム容量を増加させるための方法であって、
１つのタイムスロットにおいて同時に２つのＷＴＲＵ（無線送受信ユニット）を可能とする場合に、追加的リンク頑強さを提供し、そして本質的な３ｄＢの不利益を克服するために、割り付けられたトラフィックまたはＳＤＣＣＨ（孤立個別制御チャンネル）のタイムスロットにおける信号伝達バーストのチャンネル符号化を実行すること
を含むことを特徴とする方法。
【００７１】
２４．
前記信号伝達バーストのチャンネル符号化が、前記信号伝達が早期に切り換えられそしてＭＵＲＯＳトラフィック・リソースを介して伝達される場合に、ＭＵＲＯＳリソースを使用するときに、チャンネル復号化性能においてオフセットを提供するために、および前記本質的不利益を克服するために増加されることを特徴とする実施形態２３に記載の方法。
【００７２】
２５．
前記信号伝達バーストのチャンネル符号化が、前記バースト対応付け処理の間、符号化されたビットのすべてまたは選択された部分集合の何れかの反復を通して実現されることを特徴とする実施形態２３〜２４に記載の方法のうちのいずれか１つの方法。
【００７３】
２６．
前記信号伝達バーストのチャンネル符号化が、１つの信号伝達ブロックの反復を通して実現されることを特徴とする実施形態２３〜２５に記載の方法のうちのいずれか１つの方法。
【００７４】
２７．
前記信号伝達ブロックが４つのバーストを備えることを特徴とする実施形態２６に記載の方法。
【００７５】
２８．
前記信号伝達バーストのチャンネル符号化は、チャンネル符号化率を減少させることによってなされ、前記チャンネル符号化率が、チャンネルの符号化されたビットに対する情報ビットの比率であることを特徴とする実施形態２３〜２７に記載の方法のうちのいずれか１つの方法。
【００７６】
２９．
ＭＵＲＯＳ能力のあるトラフィック・タイムスロットにて信号伝達バーストまたはブロックを送信することであって、前記信号伝達バーストの前記受信または送信が、マルチフレーム構造中の選択された部分集合においてのみ許容されること
をさらに含むことを特徴とする実施形態２３〜２８に記載の方法のうちのいずれか１つの方法。
【００７７】
３０．
前記信号伝達バーストが、前記ＷＴＲＵの空きフレームの内の１つの間に送信され、その結果利用可能チャンネル・ビットの数を増加させることを特徴とする実施形態２９に記載の方法。
【００７８】
３１．
前記ＧＳＭネットワークが信号伝達メッセージまたは即時割り当てメッセージを使用することにより、符号化方式を前記信号伝達バーストに適用することを特徴とする実施形態２３〜３０に記載の方法のうちのいずれか１つの方法。
【００７９】
３２．
前記信号伝達メッセージが、ブロードキャスト・チャンネルにて送られることを特徴とする実施形態３１に記載の方法。
【００８０】
３３．
前記ＷＴＲＵが、前記ＷＴＲＵにＭＵＲＯＳ能力があることを前記ＧＳＭネットワークに通知することをさらに含むことを特徴とする実施形態２３〜３２に記載の方法のうちのいずれか１つの方法。
【００８１】
３４．
前記ＷＴＲＵがチャンネル要求メッセージを前記ＧＳＭネットワークに送信するときに、前記ＷＴＲＵが、ＲＡＣＨ（ランダム・アクセス・チャンネル）を使用して自身のＭＵＲＯＳ能力を送信することを特徴とする実施形態３３に記載の方法。
【００８２】
３５．
実施形態１〜３４に記載の方法のうちのいずれか１つの方法を実行するように構成されることを特徴とするＷＴＲＵ。
【００８３】
３６．
実施形態１〜３４に記載の方法のうちのいずれか１つの方法を実行するように構成されることを特徴とするＮｏｄｅＢ（ノードＢ）。
【００８４】
３７．
実施形態１〜３４に記載の方法のうちのいずれか１つの方法を実行するように構成されることを特徴とする装置。
【００８５】
３８．
実施形態１〜３４に記載の方法のうちのいずれか１つの方法を実行するように構成されることを特徴とする無線通信システム。
【００８６】
３９．
制御チャンネルを動作するための方法であって、
第１のＯＳＣ（直交サブ・チャンネル）および第２のＯＳＣを備える１つのタイムスロットを含む少なくとも１つの制御フレームを備えるマルチフレームを発生させることと、
制御信号伝達トラフィックを伝達するためにＳＤＣＣＨを割り付けることと、
前記マルチフレームを送信することと
を備えることを特徴とする方法。
【００８７】
４０．
前記少なくとも１つの制御フレームが、ＳＤＣＣＨ（孤立個別制御チャンネル）を伝達するために指定されることを特徴とする実施形態３９に記載の方法。
【００８８】
４１．
前記タイムスロットにおける前記第１のＯＳＣにて第１のＷＴＲＵ（無線送受信ユニット）のＳＤＣＣＨを変調することと、
前記第１のＯＳＣに対するものとは異なるコンスタレーションポイントまたは相補的部分集合マッピングを使用して前記タイムスロットにおける前記第２のＯＳＣにて第２のＷＴＲＵ  ＳＤＣＣＨを変調することと
をさらに含むことを特徴とする実施形態４０に記載の方法。
【００８９】
４２．
前記タイムスロットにおいて作成された前記第１および第２のＯＳＣが異なったトレーニング系列の使用により識別されることを特徴とする実施形態４１に記載の方法。
【００９０】
４３．
ダウンリンクおよびアップリンクにおいて前記ＳＤＣＣＨに指定されたタイムスロット・リソースにおける前記ＯＳＣが同一であることを特徴とする実施形態４０〜４２に記載の方法のうちのいずれか１つの方法。
【００９１】
４４．
ダウンリンクおよびアップリンクにおいて前記ＳＤＣＣＨに指定されたタイムスロットにおける前記ＯＳＣが異なることを特徴とする実施形態４０〜４２に記載の方法のうちのいずれか１つの方法。
【００９２】
４５．
第１および第２のＯＳＣを使用して、２つのＷＴＲＵ（無線送受信ユニット）に対するＳＤＣＣＨを伝達するように第１のタイムスロットを構成することと、
１つのＷＴＲＵに対するＳＤＣＣＨを伝達するように第２のタイムスロットを構成することと
をさらに具備することを特徴とする実施形態４０〜４４に記載の方法のうちのいずれか１つの方法。
【００９３】
４６．
ＷＴＲＵ（無線送受信ユニット）にＢＣＣＨ（報知チャンネル）にてシステム情報を送信することであって、前記システム情報が、ＳＤＣＣＨリソースの割り付けまたは出現形態およびＯＳＣの利用可能性を含むこと
をさらに含むことを特徴とする実施形態４０〜４５に記載の方法のうちのいずれか１つの方法。
【００９４】
４７．
システム情報を含みそしてＳＤＣＣＨリソースの割り付けまたは出現形態およびＯＳＣの利用可能性を含む即時割り当てメッセージを、ＷＴＲＵ（無線送受信ユニット）に送信すること
をさらに含むことを特徴とする実施形態４０〜４６に記載の方法のうちのいずれか１つの方法。
【００９５】
４８．
ＧＳＭネットワークにおいてＭＵＲＯＳ／ＶＡＭＯＳ（Multi-User-Reusing-One-Slot）を使用して制御システム容量を増加させるための方法であって、
ＷＴＲＵ（無線送受信ユニット）から要求メッセージを受信することと、
応答メッセージを使用してＯＳＣ（直交サブ・チャンネル）を割り当てることと
を備えることを特徴とする方法。
【００９６】
４９．
トラフィック・リソースに属するタイムスロットにて前記応答メッセージを送信すること
をさらに含むことを特徴とする実施形態４８に記載の方法。
【００９７】
５０．
前記トラフィック・リソースが未割り付けのトラフィック・リソースであることを特徴とする実施形態４９に記載の方法。
【００９８】
５１．
前記トラフィック・タイムスロットが１つより多いＷＴＲＵによって使用されることを特徴とする実施形態４９または５０に記載の方法。
【００９９】
５２．
第１のＯＳＣ（直交サブ・チャンネル）および第２のＯＳＣを具備する１つのタイムスロットを含む少なくとも１つの制御フレームを具備するマルチフレームを受信するように構成される受信機と、
前記第１および第２のＯＳＣの内の1つを復号化しそして前記制御フレームを再生させるように構成されるプロセッサと
を備えることを特徴とするＷＴＲＵ。
【０１００】
５３．
前記受信機が、ＳＤＣＣＨ（孤立個別制御チャンネル）を伝達するために指定された少なくとも１つの制御フレームを受信するように構成されることを特徴とする実施形態５２に記載のＷＴＲＵ。
【０１０１】
５４．
前記受信機が、ＢＣＣＨ（報知チャンネル）にてシステム情報を受信するように構成されるＷＴＲＵであって、前記システム情報が、ＳＤＣＣＨリソースの割り付けまたは出現形態およびＯＳＣの利用可能性を含むことを特徴とする実施形態５２または５３に記載のＷＴＲＵ。
【０１０２】
５５．
前記受信機が、システム情報を含みそしてＳＤＣＣＨリソースの割り付けまたは出現形態およびＯＳＣの利用可能性を含む即時割り当てメッセージを受信するように構成されることを特徴とする実施形態５２〜５４に記載のＷＴＲＵのうちのいずれか１つのＷＴＲＵ。
【０１０３】
５６．
ＢＳ（基地局）であって、
第１のＯＳＣ（直交サブ・チャンネル）および第２のＯＳＣを具備するタイムスロットを含む少なくとも１つの制御フレームを具備するマルチフレームを発生させ、および
制御信号伝達トラフィックを伝達するためにＳＤＣＣＨを割り付けるように構成されるチャンネル割り付け器と、
前記マルチフレームを送信するように構成される送信機と
を備えることを特徴とするＢＳ。
【０１０４】
５７．
前記チャンネル割り付け器が、ＳＤＣＣＨ（孤立個別制御チャンネル）を伝達するために指定された少なくとも１つの制御フレームを含むマルチフレームを発生させるように構成されたことを特徴とする実施形態５６に記載のＢＳ。
【０１０５】
５８．
前記タイムスロットにおいて前記第１のＯＳＣにて第１のＷＴＲＵ（無線送受信ユニット）ＳＤＣＣＨを変調し、
前記第１のＯＳＣに対するものとは異なるコンスタレーションポイントまたはその相補的部分集合対応付けを使用して前記タイムスロットにおいて前記第２のＯＳＣにて第２のＷＴＲＵ  ＳＤＣＣＨを変調するように構成されたプロセッサ
をさらに備えることを特徴とする実施形態５６または５７に記載のＢＳ。
【０１０６】
５９．
前記プロセッサが、前記タイムスロットにおいて前記第１および第２のＯＳＣを変調することのために異なるトレーニング系列を使用するように構成されたことを特徴とする実施形態５８に記載のＢＳ。
【０１０７】
６０．
前記チャンネル割り付け器が、第１および第２のＯＳＣを使用して２つのＷＴＲＵ（無線送受信ユニット）に対してＳＤＣＣＨを伝達するように第１のタイムスロットを構成するために、および１つのＷＴＲＵに対してＳＤＣＣＨを伝達するように第２のタイムスロットを構成するために構成されたことを特徴とする実施形態５６〜５９に記載のＢＳのうちのいずれか１つのＢＳ。
【０１０８】
６１．
前記送信機が、ＢＣＣＨ（報知チャンネル）にてＷＴＲＵ（無線送受信ユニット）にシステム情報を送信するように構成されたＢＳであって、前記システム情報が、ＳＤＣＣＨリソースの割り付けまたは出現形態およびＯＳＣの利用可能性を含むことを特徴とする実施形態５６〜６０に記載の方法のうちのいずれか１つのＢＳ。
【０１０９】
６２．
前記送信機が、システム情報を含みそしてＳＤＣＣＨリソースの割り付けまたは出現形態およびＯＳＣの利用可能性を含む即時割り当てメッセージをＷＴＲＵ（無線送受信ユニット）に送信するように構成されたことを特徴とする実施形態５６〜６１に記載のＢＳのうちのいずれか１つのＢＳ。
【０１１０】
特徴および要素が上で特定の組み合わせにて記述されているが、それぞれの特徴または要素は、他の特徴および要素なしで単独にて、または他の特徴および要素のあるなしに拘わらず様々な組み合わせにて使用することができる。ここに提供される方法またはフロー図は、汎用目的のコンピューターまたはプロセッサによる実行のための、コンピューターにて読み取り可能な記憶装置媒体に組み込まれたコンピューター・プログラム、ソフトウェア、またはファームウェアにて実施することができる。コンピューターにて読み取り可能な記憶装置媒体の例としては、ＲＯＭ（Read Only Memory）、ＲＡＭ（Random Access Memory）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Digital Versatile Disk）などの光学媒体が含まれる。
【０１１１】
適当なプロセッサの例としては、汎用目的プロセッサ、専用目的プロセッサ、従来のプロセッサ、ＤＳＰ（Digital Signal Processor）、複数のマイクロプロセッサ、ＤＳＰコアに関連付けられた１つまたは複数のマイクロプロセッサ、制御装置、マイクロ制御装置、ＡＳＩＣ（Application Specific Integrated Circuit）、ＦＰＧＡ（Field Programmable Gate Array）回路、他の何れかの種別のＩＣ（Integrated Circuit）、および／またはステートマシンが含まれる。
【０１１２】
ＷＴＲＵ（無線送受信ユニット）、ＵＥ（User Equipment：ユーザー機器）、端末、基地局、ＲＮＣ（無線ネットワーク制御装置）、または任意のホスト・コンピューターにおいて使用するための無線周波数送受信機を実施するために、ソフトウェアに関連付けられたプロセッサを使用することができる。ＷＴＲＵは、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Bluetooth（登録商標））モジュール、ＦＭ（Frequency Modulated）無線ユニット、ＬＣＤ（液晶表示）表示ユニット、ＯＬＥＤ（有機発光ダイオード）表示ユニット、デジタル音楽プレーヤー、メディア・プレーヤー、テレビゲーム・プレーヤー・モジュール、インターネット・ブラウザー、および／または任意のＷＬＡＮ（無線ＬＡＮ）モジュールもしくはＵＷＢ（超広帯域）モジュールなどのハードウェアおよび／またはソフトウェアにて実施されるモジュールと連動して使用することができる。
【図１】
0005433699.tif 000002
【図２】
0005433699.tif 000003
【図３】
0005433699.tif 000004
【図４】
0005433699.tif 000005
【図５】
0005433699.tif 000006